(57)【要約】【課題】別の部材を用いることなく、端子の保持力を向上させるとともに端子の半挿入を検知する。【解決手段】端子収容室１１ａの上方にはランス１３が設けられ、端子収容室１１ｂの下方にはランス１４が設けられている。端子２０が端子収容室１１ａ，１１ｂ内に完全挿入された状態において、ランス１３，１４は、端子２０の係合部２０ａに係合し、端子２０を保持する。雌コネクタ１を雄コネクタ２に完全嵌合したとき、ハウジング３０の上壁３２に設けられたリブ３６は、ランス１３が上方に向けて撓まないように、ランス１３とともに端子２０を上方から保持する。ハウジング３０の下壁３３に設けられたリブ３７は、ランス１４が下方に向けて撓まないように、ランス１４とともに端子２０を保持する。【選択図】図３
2012195106.tif 000002
【特許請求の範囲】
【請求項１】
第１端子が挿入される端子収容室及び第１端子の前記端子収容室内への完全挿入状態において第１端子と係合して第１端子の脱落を防止する可撓性の係止腕部を有する第１ハウジングと、
前記第１ハウジングと嵌合可能な第２ハウジングとを備えたコネクタであり、
前記第２ハウジングは、第１端子と係合した前記係止腕部が撓まないように前記係止腕部とともに第１端子を保持する保持部を有しており、
前記保持部は、第１端子の前記端子収容室内への完全挿入状態において前記第１ハウジングが前記第２ハウジングに完全嵌合可能に且つ第１端子の前記端子収容室内への不完全挿入状態において前記第１ハウジングが前記第２ハウジングに完全嵌合しないように設けられていることを特徴とするコネクタ。
【請求項２】
第１端子の前記端子収容室内への完全挿入状態において、前記第１ハウジングの前記第２ハウジングへの完全嵌合時に、前記保持部は、前記係止腕部を挟んで第１端子と反対側に配置されるとともに前記係止腕部の第１端子と反対側の面に当接し、
第１端子の前記端子収容室内への不完全挿入状態において、前記係止腕部は第１端子により第１端子と反対側に向けて撓むことにより、前記第１ハウジングの前記第２ハウジングへの嵌合動作時に前記係止腕部と前記保持部とが接触し、第１ハウジングが前記第２ハウジングに完全嵌合しないことを特徴とする請求項１に記載のコネクタ。
【請求項３】
前記係止腕部は、それと係合する第１端子と対向する面と反対側の面に設けられた突起を有することを特徴とする請求項１又は２に記載のコネクタ。
【請求項４】
前記第２ハウジングに装着される第２端子をさらに備えており、
前記第１端子と前記第２端子とが接触することにより前記第１端子と前記第２端子との電気的接続が達成され、
前記第２ハウジングは、前記第１ハウジングが嵌合可能な嵌合口を有しており、
前記保持部の一端は、前記第２端子の前記第１端子と接触する先端部より前記嵌合口に近い位置に設けられていることを特徴とする請求項１〜３のいずれか１項に記載のコネクタ。
【請求項５】
前記第１ハウジングは、複数段に配列された前記端子収容室及び前記係止腕部を有しており、
前記第２ハウジングは、複数段に配列された前記端子収容室及び前記係止腕部の段方向に配列するように設けられた少なくとも３つの前記保持部を有しており、
少なくとも３つの前記保持部は、それぞれ、複数段に配列された前記端子収容室及び前記係止腕部に対応するように設けられていることを特徴とする請求項１〜４のいずれか１項に記載のコネクタ。
【請求項６】
前記第２ハウジングは、
複数段に配列された前記端子収容室をその段方向に挟むように設けられた第１壁及び第２壁とを有しており、
少なくとも３つの前記保持部は、
前記第１壁と一体になるように設けられた第１保持部と、
前記第２壁と一体になるように設けられた第２保持部と、
前記第１壁と前記第２壁との間に設けられた少なくとも１つの第３保持部とを有することを特徴とする請求項５に記載のコネクタ。
【発明の詳細な説明】
【技術分野】
【０００１】
本発明は、端子の脱落を防止することが可能であると共に端子のハウジングへの半挿入を検知することが可能なコネクタに関する。
【背景技術】
【０００２】
端子と、端子が収容される端子収容室を有するハウジングとを備えたコネクタにおいて、端子が端子収容室から脱落することを防止するためリテーナが用いられている。リテーナは、ハウジングに組み付けられ、端子の保持力を向上させるとともに、端子の端子収容室内への半挿入の検知を可能とする。特許文献１には、ハウジングの側面に組み付けられるリテーナが開示されている。また、特許文献２には、ハウジングにその前方から組み付けられるリテーナが開示されている。
【先行技術文献】
【特許文献】
【０００３】
【特許文献１】特開２００６−２３６６９５号公報
【特許文献１】特開２００９−１８１９３３号公報
【発明の概要】
【発明が解決しようとする課題】
【０００４】
リテーナはハウジングと別の部材であるため、特許文献１，２に記載のようなリテーナを有するコネクタでは、コネクタの部品点数が増加する。また、これに伴って、コネクタの組立工程の数が増加する。
【０００５】
そこで、本発明は、リテーナ等の別の部材を用いることなく、端子の保持力を向上させることができるとともに、端子の半挿入の検知を可能とするコネクタを提供することを目的とする。
【課題を解決するための手段】
【０００６】
本発明のコネクタは、第１端子が挿入される端子収容室及び第１端子の前記端子収容室内への完全挿入状態において第１端子と係合して第１端子の脱落を防止する可撓性の係止腕部を有する第１ハウジングと、前記第１ハウジングと嵌合可能な第２ハウジングとを備えたコネクタであり、前記第２ハウジングは、第１端子と係合した前記係止腕部が撓まないように前記係止腕部とともに第１端子を保持する保持部を有しており、前記保持部は、第１端子の前記端子収容室内への完全挿入状態において前記第１ハウジングが前記第２ハウジングに完全嵌合可能に且つ第１端子の前記端子収容室内への不完全挿入状態において前記第１ハウジングが前記第２ハウジングに完全嵌合しないように設けられている。
【０００７】
本発明によると、第１ハウジングの第２ハウジングへの完全嵌合時に、第２ハウジングの保持部が第１ハウジングの係止腕部とともに第１端子を保持することにより、別の部材を用いることなく、第１端子の保持力を向上させることができる。また、第１端子の端子収容室内への不完全挿入状態において、第２ハウジングの保持部により、第１ハウジングが第２ハウジングに完全嵌合しないので、別の部材を用いることなく、第１端子の端子収容室内への半挿入（不完全挿入）を検知することができる。
【０００８】
また、本発明において、第１端子の前記端子収容室内への完全挿入状態において、前記第１ハウジングの前記第２ハウジングへの完全嵌合時に、前記保持部は、前記係止腕部を挟んで第１端子と反対側に配置されるとともに前記係止腕部の第１端子と反対側の面に当接し、第１端子の前記端子収容室内への不完全挿入状態において、前記係止腕部は第１端子により第１端子と反対側に向けて撓むことにより、前記第１ハウジングの前記第２ハウジングへの嵌合動作時に前記係止腕部と前記保持部とが接触し、第１ハウジングが前記第２ハウジングに完全嵌合しない。
【０００９】
上記構成によると、第１端子の端子収容室内への完全挿入状態において、第１ハウジングの第２ハウジングへの完全嵌合時に、第２ハウジングの保持部が、第１ハウジングの係止腕部に当接し、係止腕部が撓まないように第１端子を保持する。これにより、別の部材を用いることなく、第１端子の保持力を向上させることができる。一方、第１端子の端子収容室内への不完全挿入状態では、第１ハウジングの係止腕部が第１端子と反対側（第２ハウジングの保持部側）に向けて撓むことにより、第１ハウジングの第２ハウジングへの嵌合動作時に、係止腕部が第２ハウジングの保持部に接触し、第１ハウジングが第２ハウジングに嵌合しない。これにより、別の部材を用いることなく、第１端子の端子収容室内への半挿入を検知することができる。
【００１０】
さらに、本発明において、前記係止腕部は、それと係合する第１端子と対向する面と反対側の面に設けられた突起を有する。係止腕部の第１端子と対向する面と反対側の面に設けられた突起に道具（ドライバー等）を引っ掛け、突起を第１端子と反対側に引くことにより、係止腕部が第１端子と反対側に撓む。これにより、第１端子と係止腕部との係合を容易に解除でき、第１端子を端子収容室から容易に抜き取ることができる。
【００１１】
加えて、本発明において、前記第２ハウジングに装着される第２端子をさらに備えており、前記第１端子と前記第２端子とが接触することにより前記第１端子と前記第２端子との電気的接続が達成され、前記第２ハウジングは、前記第１ハウジングが嵌合可能な嵌合口を有しており、前記保持部の一端は、前記第２端子の前記第１端子と接触する先端部より前記嵌合口に近い位置に設けられている。
【００１２】
上記構成によると、第２ハウジングの保持部の一端が、第２端子の先端部より第２ハウジングの嵌合口に近い位置に設けられていることにより、第１ハウジングが第２ハウジングに非正規方向から嵌合した場合、第１ハウジングは、第２ハウジングの保持部の一端に接触し、第２ハウジングに嵌合しない。これにより、第１ハウジングが第２ハウジングに不完全嵌合することを未然に防止できる。
【００１３】
また、本発明において、前記第１ハウジングは、複数段に配列された前記端子収容室及び前記係止腕部を有しており、前記第２ハウジングは、複数段に配列された前記端子収容室及び前記係止腕部の段方向に配列するように設けられた少なくとも３つの前記保持部を有しており、少なくとも３つの前記保持部は、それぞれ、複数段に配列された前記端子収容室及び前記係止腕部に対応するように設けられている。
【００１４】
上記構成によると、第２ハウジングの少なくとも３つの保持部が、複数段の端子収容室及び係止腕部にそれぞれ対応するように設けられていることから、保持部により、複数段に配列された各々の第１端子を保持できるとともに、複数段に配列された各々の第１端子の半挿入を検知できる。
【００１５】
さらに、本発明において、前記第２ハウジングは、複数段に配列された前記端子収容室をその段方向に挟むように設けられた第１壁及び第２壁とを有しており、少なくとも３つの前記保持部は、前記第１壁と一体になるように設けられた第１保持部と、前記第２壁と一体になるように設けられた第２保持部と、前記第１壁と前記第２壁との間に設けられた少なくとも１つの第３保持部とを有する。
【００１６】
上記構成によると、第１壁と一体になるように設けられた第１保持部により、最上段の端子収容室に収容された第１端子を保持でき、第２壁と一体になるように設けられた第２保持部により、最下段の端子収容室に収容された第１端子を保持でき、第３保持部により中段の端子収容室に収容された第１端子を保持できる。これにより、３段以上に分かれて設けられた第１端子を第１保持部、第２保持部及び第３保持部により保持できることから、別の部材を用いることなく、複数の第１端子の保持力を向上させることができるとともに、複数の第１端子の半挿入を検知できる。さらに、第１保持部を第１壁と一体になるように設け、第２保持部を第２壁と一体になるように設けることにより、第１ハウジングの製造が容易になる。
【発明の効果】
【００１７】
本発明のコネクタによると、第１ハウジングの第２ハウジングへの完全嵌合時に、第２ハウジングの保持部が第１ハウジングの係止腕部とともに第１端子を保持することにより、別部材を用いることなく、第１端子の保持力を向上させることができる。また、第１端子の端子収容室内への不完全挿入状態において、第２ハウジングの保持部により、第２ハウジングが第１ハウジングに完全嵌合しないので、別部材を用いることなく、第１端子の端子収容室内への半挿入を検知することができる。
【図面の簡単な説明】
【００１８】
【図１】（ａ）は本発明の第１実施形態に係るコネクタの分解斜視図であり、（ｂ）は（ａ）に示すコネクタの全体斜視図である。
【図２】（ａ）は図１に示す雌コネクタの全体斜視図である。
【図３】（ａ）は図１（ａ）のＩＩＩａ−ＩＩＩａ線に沿ったコネクタの断面図であり、（ｂ）は図１（ｂ）のＩＩＩｂ−ＩＩＩｂ線に沿ったコネクタの断面図である。
【図４】図１（ｂ）のＩＩＩｂ−ＩＩＩｂ線に沿ったコネクタの断面斜視図である。
【図５】端子の端子収容室内への不完全挿入状態における、コネクタの嵌合工程を示す図である。
【図６】第１ハウジングが第２ハウジングに完全嵌合する工程を示す図であり、（ａ）は図１（ａ）に示すＶＩａ−ＶＩａ線に沿ったコネクタの断面図であり、（ｂ）は図１（ｂ）に示すＶＩｂ−ＶＩｂ線に沿ったコネクタの断面図である。
【図７】第１ハウジングが第２ハウジングに非正規な方向から嵌合する工程を示す図である。
【図８（ａ）】本発明の第２実施形態に係るコネクタの断面図である。
【図８（ｂ）】本発明の第２実施形態に係るコネクタの断面図であり、第１ハウジングが第２ハウジングに完全嵌合した状態を示す図である。
【図９（ａ）】本発明の第３実施形態に係るコネクタの断面図である。
【図９（ｂ）】本発明の第３実施形態に係るコネクタの断面図であり、第１ハウジングが第２ハウジングに完全嵌合した状態を示す図である。
【図１０】本発明の第４実施形態に係るコネクタの断面図であり、第１ハウジングが第２ハウジングに完全嵌合する工程を示す図である。
【発明を実施するための形態】
【００１９】
以下、本発明の好適な実施形態について、図面を参照しつつ説明する。
【００２０】
〔第１実施形態〕
ここでは、本発明の第１実施形態について、図１〜７を参照しつつ説明する。
【００２１】
図１に示すように、コネクタ１００は、雌コネクタ１、雌コネクタ１と嵌合可能な雄コネクタ２とを備えている。
【００２２】
（雌コネクタ１）
図２に示すように、雌コネクタ１は、絶縁性の樹脂で形成されたハウジング（第１ハウジング）１０と、ハウジング１０に装着される端子（第１端子）２０とを有する。図２では、雌コネクタ１の右端部を断面図として示している。
【００２３】
<ハウジング> 
図２に示すように、ハウジング１０は、端子２０が挿入される複数の端子収容室１１ａ，１１ｂと、可撓性のランス（係止腕部）１３，１４とを有する。端子収容室１１ａ，１１ｂは、上下方向に２段に配列され、左右方向に８列に配列されている。上段の端子収容室１１ａの前端には、雄コネクタ２の端子４０が前方から挿入可能な挿入口１２ａが形成されている。また、下段の端子収容室１１ｂの前端には挿入口１２ｂが形成されている。
【００２４】
図２及び図３（ａ）に示すように、ランス１３は上段の端子収容室１１ａの上方に設けられ、ランス１４は下段の端子収容室１１ｂの下方に設けられている。図３（ａ）に示すように、ランス１３，１４は、端子２０の係合部２０ａに係合する。これにより、端子２０が端子収容室１１ａ，１１ｂから脱落することを防止できる。
【００２５】
図２の拡大図に示すように、端子収容室１１ａの上方に設けられたランス１３の上面１３ａ（端子２０と対向する面と反対側の面）には、上方（端子２０と反対側）に向けて突出した突起１３ｂが設けられている。突起１３ｂは、ランス１３の上面１３ａに対して略垂直な方向に延在した面１３ｃを有する。
【００２６】
端子２０を端子収容室１１ａから抜き取るときは、道具（例えば、マイナスドライバー）をランス１３の突起１３ｂの面１３ｃに引っ掛け、突起１３ｂを引き上げる。これにより、ランス１３が上方（端子２０と反対側）に向けて撓み、ランス１３の端子２０の係合部２０ａに対する係合が解除されるので、端子２０を端子収容室１１ａから後方に抜き取ることができる。
【００２７】
端子収容室１１ｂの下方に設けられたランス１４は、ランス１３と略同様な構成を有する。図４に示すように、ランス１４の下面１４ａには、端子２０（端子収容室１１ｂに収容された端子２０）と反対側に向けて突出した突起１４ｂが設けられている。突起１４ｂは、ランス１４の下面１４ａに対して略垂直な方向に延在した面１４ｃを有する。
【００２８】
端子２０を端子収容室１１ｂから抜き取るときは、マイナスドライバーなどをランス１４の突起１４ｂの面１４ｃに引っ掛け、突起１４ｂを引き下げる。これにより、ランス１４が下方に向けて撓み、ランス１４の端子２０の係合部２０ａに対する係合が解除される。
【００２９】
<端子> 
図３（ａ）に示すように、端子２０は、雄コネクタ２の端子４０と接触する接続部２１と、接続部２１に接続された電線２２とを有する。接続部２１は、端子４０が内部に挿入可能な略筒状であって、ランス１３，１４が係合可能な係合部２０ａを有する。また、図２の拡大図に示すように、接続部２１の側部の中央付近には、上方に向けて突出した突出部２１ａが形成されている。突出部２１ａの両側には、下方に向けて凹んだ溝が形成されている。
【００３０】
図２の拡大図に示すように、端子２０が上段の端子収容室１１ａ内に完全挿入された状態において、図２に示す前後方向について、端子２０の突出部２１ａの側面２１ｂは、ランス１３の突起１３ｂの面１３ｃと略同じ位置に配置されるので、雌コネクタ１を側方からみたとき、端子２０の側面２１ｂとランス１３の面１３ｃとが略一致する。一方、端子２０が端子収容室１１ａ内に不完全挿入であるときは、端子２０の側面２１ｂが、ランス１３の面１３ｃよりも後方に位置し、側面２１ｂと面１３ｃとが一致しない。したがって、端子２０を端子収容室１１ａ内へ挿入した後、雌コネクタ１を側方から視ることにより、端子２０が端子収容室１１ａへ完全挿入しているかどうか（半挿入）を確認できる。
【００３１】
同様に、下段の端子収容室１１ｂに端子２０を挿入したときも、端子２０の突出部２１ａの側面２１ｂと、ランス１４の突起１４ｂの面１４ｃとの位置関係から、端子２０の端子収容室１１ｂへの半挿入を確認できる（図４参照）。
【００３２】
（雄コネクタ）
図３（ａ）に示すように、雄コネクタ２は、絶縁性の樹脂で形成されたハウジング（第２ハウジング）３０と、ハウジング３０に装着された端子（第２端子）４０とを有する。図１，４に示すように、ハウジング３０は、有底筒状に形成され、底部３１と、雌コネクタ１を上下方向から覆う上壁（第１壁）３２及び下壁（第２壁）３３と、雌コネクタ１を左右方向から覆う右壁３４及び左壁３５とを有する。そして、上壁３２、下壁３３、右壁３４及び左壁３５によって、底部３１と反対側に、雌コネクタ１が嵌合可能な開口（嵌合口）３８が形成されている（図３（ａ）参照）。上壁３２及び下壁３３は、互いに対向し、２段の端子収容室１１ａ，１１ｂを段方向（上下方向）に挟むように設けられている（図３（ｂ）参照）。
【００３３】
図３に示すように、上壁３２の内側面には、ハウジング３０の下方（下壁３３）に向けて突出したリブ３６が設けられている。リブ３６は、ハウジング３０の幅方向に８個設けられている。８個のリブ３６は、８列に配列された上段の端子収容室１１ａ及びその上方に設けられた８個のランス１３に対応する位置にそれぞれ設けられている。図３（ａ）に示すように、リブ３６は、底部３１から開口３８に向けて延在し、先端部３６ａが、開口３８に近付くにつれて下方への突出長さが短くなるテーパ状に形成されている。
【００３４】
図３に示すように、下壁３３の内側面には、上方（上壁３２）に向けて突出したリブ３７が設けられている。図６に示すように、リブ３７は、ハウジング３０の幅方向に８個設けられている。８個のリブ３７は、８列に配列された下段の端子収容室１１ｂ及びその下方に設けられたランス１４に対応する位置にそれぞれ設けられている。図３（ａ）に示すように、リブ３７は、底部３１から開口３８に向けて延在し、先端部３７ａが、開口３８に近付くにつれて上方への突出長さが短くなるテーパ状に形成されている。
【００３５】
図３（ａ）に示すように、リブ３６の先端部３６ａは、端子４０の先端部４０ａよりもハウジング３０の開口３８に近い位置に設けられている。また、リブ３７の先端部３７ａは、端子４０の先端部４０ｂよりもハウジング３０の開口３８に近い位置に設けられている。端子４０の先端部４０ａ，４０ｂは、雌コネクタ１のハウジング１０の端子収容室１１ａ，１１ｂの内部にそれぞれ挿入され、端子２０の接続部２１と接触する。これにより、端子２０と端子４０との電気的接続が達成される。
【００３６】
図３（ｂ）に示すように、雌コネクタ１が雄コネクタ２に完全嵌合した時、リブ３６は、ランス１３に対して、ランス１３が係合した端子２０と反対側に配置される。また、リブ３７は、ランス１４に対して、ランス１４が係合した端子２０と反対側に配置される。
【００３７】
次に、雌コネクタ１を雄コネクタ２に嵌合する動作について詳細に説明する。
【００３８】
図３（ａ）に示すように、端子２０がハウジング１０の端子収容室１１ａ，１１ｂ内に完全挿入された状態では、ランス１３，１４が端子２０の係合部２０ａに係合し、端子２０がランス１３，１４によりハウジング１０に対して保持されている（一次係止）。
【００３９】
そして、図６（ａ）に示すように、雌コネクタ１が雄コネクタ２に対して正規な方向（図６（ａ）に示す矢印方向）に嵌合すると、リブ３７によって形成された案内路に沿って、雌コネクタ１が雄コネクタ２に完全嵌合する（図６（ｂ）参照）。このとき、図３（ｂ）及び図４に示すように、リブ３６は、ランス１３の上面１３ａ（ランス１３が係合した端子２０と反対側の面）に当接し、ランス１３が上方（リブ３６側）に向けて撓まないように、ランス１３とともに端子２０を上方から保持している（二次係止）。また、リブ３７は、ランス１４の下面１４ａ（ランス１４が係合した端子２０と反対側の面）に当接し、ランス１４が下方（リブ３７側）に向けて撓まないように、ランス１４とともに端子２０を下方から保持している（二次係止）。
【００４０】
一方、図５（ａ）に示すように、端子２０がハウジング１０の端子収容室１１ａ内に不完全挿入された状態では、ランス１３は、端子２０の係合部２０ａに係合せず、端子２０の接続部２１により上方（端子２０と反対側）に押し上げられ、上方に向けて撓んでいる。
【００４１】
この状態で雌コネクタ１を雄コネクタ２へ嵌合した場合、図５（ｂ）に示すように、嵌合動作時に、ランス１３の先端部に設けられた突起１３ｄがハウジング３０のリブ３６の先端部３６ａに接触し、雌コネクタ１が雄コネクタ２に完全嵌合しない。これにより、端子２０が端子収容室１１ａ内に不完全挿入（半挿入）であることを検知できる。
【００４２】
ハウジング３０の上壁３２には、８個のリブ３６が設けられていることから、上段の８個の端子２０が端子収容室１１ａ内に不完全挿入であることを検知できる。同様に、ハウジング３０の下壁３３には、８個のリブ３７が設けられていることから、下段の８個の端子２０が端子収容室１１ｂ内に不完全挿入（半挿入）であることを検知できる。
【００４３】
また、図７（ａ）に示すように、雌コネクタ１の向きが非正規な方向に向けられている場合、嵌合動作時に、雌コネクタ１のハウジング１０が、雄コネクタ２のリブ３７に接触し（図７（ｂ）参照）、雌コネクタ１が雄コネクタ２に完全嵌合しない。このとき、雄コネクタ２の端子４０は、雌コネクタ１の略筒状の端子２０の内部に挿入されていないため、雌コネクタ１の向きを正規な方向に変えても端子４０が変形しない。これにより、端子４０の損傷を防止できる。
【００４４】
以上に述べたように、本実施形態のコネクタ１００によると以下の効果を奏する。雌コネクタ１の雄コネクタ２への完全嵌合時に、雄コネクタ２のハウジング３０のリブ３６がランス１３とともに端子２０を保持し、リブ３７がランス１４とともに端子２０を保持する。これにより、別の部材を用いることなく、端子２０の保持力を向上させることができる。また、端子２０が端子収容室１１ａ，１１ｂ内に不完全挿入された状態では、雄コネクタ２のリブ３６，３７により、雌コネクタ１が雄コネクタ２に完全嵌合しないので、別の部材を用いることなく、端子２０の端子収容室１１ａ，１１ｂ内への半挿入（不完全挿入）を検知することができる。さらに、端子２０の保持力の向上及び端子２０の半挿入の検知のために別の部材をハウジングに組み付ける必要がないことから、ランスの構成及び端子収容室の構成等の自由度を高めることができる。
【００４５】
また、雌コネクタ１が雄コネクタ２に完全嵌合した時に、リブ３６はランス１３を挟んで端子２０と反対側に配置され、リブ３７はランス１４を挟んで端子２０と反対側に配置される。そして、リブ３６は、ランス１３の上面１３ａに当接し、ランス１３が撓まないように端子２０を上方から保持する。また、リブ３７は、ランス１４の下面１４ａに当接し、ランス１４が撓まないように端子２０を下方から保持する。これにより、別の部材を用いることなく、端子２０の保持力を向上させることができる。一方、端子２０の端子収容室１１ａ内への不完全挿入状態では、ランス１３は端子２０により上方に押し上げられ、上方に向けて撓む。この状態で、ハウジング１０をハウジング３０に嵌合すると、嵌合動作時に、ランス１３の先端部の突起１３ｄがリブ３６の先端部３６ａに接触し、ハウジング１０がハウジング３０に完全嵌合しない。これにより、別の部材を用いることなく、端子２０が端子収容室１１ａ，１１ｂ内へ半挿入状態であることを検知することができる。
【００４６】
さらに、雌コネクタ１のハウジング１０において、ランス１３に設けられた突起１３ｄの面１３ｃに道具（例えば、マイナスドライバー）を引っ掛け、突起１３ｂを引き上げることにより、ランス１３が上方に向けて撓み、端子２０とランス１３との係合を容易に解除できる。同様に、ランス１４に設けられた突起１４ｄの面１４ｃに道具を引っ掛け、突起１４ｂを引き下げることにより、ランス１４が下方に向けて撓み、端子２０とランス１４との係合を容易に解除できる。これにより、端子２０を端子収容室１１ａ，１１ｂから容易に抜き取ることができる。
【００４７】
加えて、リブ３６，３７の先端部３６ａ，３７ａが、端子４０の先端部４０ａ，４０ｂよりハウジング３０の開口３８に近い位置に設けられていることにより、ハウジング１０をハウジング３０に非正規方向から嵌合した場合、ハウジング１０が、リブ３６，３７の先端部３６ａ，３７ａに接触するため、ハウジング３０に完全嵌合せず、不完全嵌合することを未然に防止できる。このとき、雄コネクタ２の端子４０は、雌コネクタ１の略筒状の端子２０の内部に挿入されていないため、雌コネクタ１の向きを正規な方向に変えても端子４０が変形しない。よって、端子４０の損傷を防止できる。
【００４８】
また、リブ３６が上壁３２と一体になるように設けられ、リブ３７が下壁３３と一体になるように設けられることにより、ハウジング１０の製造が容易になる。
【００４９】
〔第２実施形態〕
次に、本発明の第２実施形態について、図８（ａ）及び図８（ｂ）を参照しつつ説明する。第２実施形態のコネクタは、第１実施形態では、雄コネクタ２が上壁３２に設けられたリブ３６と下壁３３に設けられたリブ３７とを有するのに対して、第２実施形態では、雄コネクタ２０２が、上壁３２に設けられたリブ３６と、上壁３２と下壁３３との間に設けられたリブ２３８，２３９とを有する点において、第１実施形態に係るコネクタと異なっている。なお、その他の構成は、上記第１実施形態と同様であるため、同じ符号を用いて適宜その説明を省略する。
【００５０】
（雌コネクタ２０１）
図８（ａ）に示すように、ハウジング（第１ハウジング）２１０は、上下方向に３段に配列された端子収容室１１ａ，２１１ｂ，２１１ｃと、可撓性のランス（係止腕部）１３，２１４，２１５とを有する。ランス１３は端子収容室１１ａの上方に設けられ、ランス２１４は端子収容室２１１ｂの上方に設けられ、ランス２１５は端子収容室２１１ｃの上方に設けられている。ランス２１４，２１５は、ランス１３と略同一の構成を有する。
【００５１】
（雄コネクタ２０２）
雄コネクタ２０２のハウジング（第２ハウジング）２３０は、底部２３１と、雌コネクタ２０１を上下方向から覆う上壁（第１壁）３２及び下壁（第２壁）２３３と、雌コネクタ２０１を左右方向から覆う右壁及び左壁と、上下方向に上から順に並んで設けられたリブ３６，２３８，２３９とを有する。リブ３６，２３８，２３９は、底部２３１から開口２５０に向けて延在している。
【００５２】
最上段のリブ３６の先端部３６ａは、最上段の端子４０の先端部４０ａよりハウジング２３０の開口２５０に近い位置に設けられている。中段のリブ２３８の先端部２３８ａは、中段の端子４０の先端部４０ｂより開口２５０に近い位置に設けられている。最下段のリブ２３９の先端部２３９ａは、最下段の端子４０の先端部４０ｃよりハウジング３０の開口２５０に近い位置に設けられている。
【００５３】
図８（ａ）に示すように、端子２０が端子収容室１１ａ，２１１ｂ，２１１ｃ内に完全挿入された状態では、ランス１３，２１４，２１５が端子２０の係合部２０ａに係合し、端子２０がランス１３，２１４，２１５によりハウジング２１０に対して保持されている（一次係止）。
【００５４】
図８（ｂ）に示すように、雌コネクタ２０１が雄コネクタ２０２に完全嵌合したとき、最上段のリブ３６は、最上段の端子収容室１１ａ及びランス１３に対応するようにそれらの上方に配置される。中段のリブ２３８は、中段の端子収容室２１１ｂ及びランス２１４に対応するようにそれらの上方に配置される。最下段のリブ２３９は、最下段の端子収容室２１１ｃ及びランス２１５に対応するようにそれらの上方に配置される。
【００５５】
そして、リブ３６は、ランス１３の上面に当接し、ランス１３が上方に向けて撓まないように、ランス１３とともに端子２０を上方から保持している（二次係止）。また、リブ２３８は、ランス２１４の上面に当接し、ランス２１４が上方に向けて撓まないように、ランス２１４とともに端子２０を上方から保持している（二次係止）。さらに、リブ２３９は、ランス２１５の上面に当接し、ランス２１５が上方に向けて撓まないように、ランス２１５とともに端子２０を上方から保持している（二次係止）。
【００５６】
図８（ａ）において、端子２０がハウジング２１０の端子収容室２１１ｂ，２１１ｃ内に不完全に挿入されているときは、ランス２１４，２１５が、端子２０により上方に押し上げられ、上方に向けて撓む。この状態で、雌コネクタ１を雄コネクタ２に嵌合しようとした場合、ランス２１４，２１５の先端部に設けられた突起２１４ｄ，２１５ｄが、リブ２３８，２３９の先端部２３８ａ，２３９ｄに接触し、雌コネクタ２０１が雄コネクタ２０２に完全嵌合しない。これにより、端子２０が端子収容室２１１ｂ，２１１ｃ内に不完全な挿入（半挿入）であることを検知できる。
【００５７】
以上のように、本実施形態のコネクタ２００では、第１実施形態のコネクタ１００と同様に、別の部材を用いることなく、リブ３６，２３８，２３９により、３段に配列された端子２０の保持力を向上させることができるとともに、３段に配列された端子２０の不完全挿入を検知することができる。
【００５８】
〔第３実施形態〕
次に、本発明の第３実施形態について、図９（ａ）及び図９（ｂ）を参照しつつ説明する。第３実施形態のコネクタは、第１実施形態では、雄コネクタ２が上壁３２に設けられたリブ３６と下壁３３に設けられたリブ３７とを有するのに対して、第３実施形態では、雄コネクタ３０２が、上壁３２に設けられたリブ３６と、下壁３３に設けられたリブ３７と、上壁３２と下壁３３との間に設けられたリブ３３８とを有する点において、第１実施形態に係るコネクタと異なっている。なお、その他の構成は、上記第１実施形態と同様であるため、同じ符号を用いて適宜その説明を省略する。
【００５９】
（雌コネクタ３０１）
図９（ａ）に示すように、ハウジング（第１ハウジング）３１０は、上下方向に３段に配列された端子収容室１１ａ，１１ｂ，３１１ｃと、可撓性のランス（係止腕部）１３，１４，３１５とを有する。ランス１３は最上段の端子収容室１１ａの上方に設けられ、ランス１４は最下段の端子収容室１１ｂの下方に設けられ、ランス３１５は中段の端子収容室３１１ｃの上方に設けられている。ランス３１５は、ランス１３と略同一の構成を有する。
【００６０】
（雄コネクタ３０２）
雄コネクタ３０２のハウジング（第２ハウジング）３３０は、底部３３１と、雌コネクタ３０１を上下方向から覆う上壁３２及び下壁３３と、雌コネクタ２０１を左右方向から覆う右壁及び左壁と、上下方向に上から順に並んで設けられたリブ３６，３３８，３７とを有する。リブ３６，３３８，３７は、底部２３１から開口３５０に向けて延在している。
【００６１】
最上段のリブ３６の先端部３６ａは、最上段の端子４０の先端部４０ａよりハウジング３３０の開口３５０に近い位置に設けられている。中段のリブ３３８の先端部３３８ａは、中段の端子４０の先端部４０ｂより開口３５０に近い位置に設けられている。最下段のリブ３７の先端部３７ａは、最下段の端子４０の先端部４０ｃより開口３５０に近い位置に設けられている。
【００６２】
図９（ａ）に示すように、雌コネクタ３０１において、端子２０が端子収容室１１ａ，１１ｂ，３１１ｃ内に完全に挿入されたとき（完全挿入状態）、ランス１３，１４，３１５が端子２０の係合部２０ａに係合することにより、端子２０がランス１３，１４，３１５によりハウジング３１０に対して保持される（一次係止）。
【００６３】
図９（ｂ）に示すように、雌コネクタ３０１が雄コネクタ３０２に完全嵌合したとき、最上段のリブ３６は、最上段の端子収容室１１ａ及びランス１３に対応するようにそれらの上方に配置される。中段のリブ３３８は、中段の端子収容室３１１ｃ及びランス３１５に対応するようにそれらの上方に配置される。最下段のリブ３７は、最下段の端子収容室１１ｂ及びランス１４に対応するようにそれらの下方に配置される。
【００６４】
そして、リブ３６は、ランス１３の上面に当接し、ランス１３が上方に向けて撓まないように、ランス１３とともに端子２０を上方から保持する（二次係止）。また、リブ３３８は、ランス３１５の上面に当接し、ランス３１５が上方に向けて撓まないように、ランス３１５とともに端子２０を上方から保持する（二次係止）。さらに、リブ３７は、ランス１４の下面に当接し、ランス１４が下方に向けて撓まないように、ランス１４とともに端子２０を下方から保持する（二次係止）。
【００６５】
図９（ａ）において、端子２０がハウジング３１０の端子収容室３１１ｃ内に不完全に挿入されているときは、ランス３１５が、端子２０により上方に押し上げられ、上方に向けて撓む。この状態で、雌コネクタ３０１を雄コネクタ３０２に嵌合した場合、ランス３１５の先端部に設けられた突起３１５ｄが、リブ３３８の先端部３３８ａに接触し、雌コネクタ３０１が雄コネクタ３０２に完全嵌合しない。これにより、端子２０が端子収容室３１１ｃ内に不完全な挿入（半挿入）であることを検知できる。
【００６６】
以上のように、本実施形態のコネクタ３００では、第１実施形態のコネクタ１００と同様に、別の部材を用いることなく、３段に配列された端子２０の保持力を向上させることができるとともに、３段に配列された端子２０の不完全挿入を検知することができる。また、リブ３６が上壁３２と一体になるように設けられ、リブ３７が下壁３３と一体になるように設けられていることにより、ハウジング３１０の製造が容易になる。
【００６７】
〔第４実施形態〕
次に、本発明の第４実施形態について、図１０を参照しつつ説明する。第４実施形態のコネクタは、第１実施形態では、リブ３６，３７はハウジング３０の底部３１から開口３８に向けて延在しているのに対して、第４実施形態では、リブ４３６，４３７は、ハウジング４３０において端子２０の係合部２０ａに対応する位置に部分的に設けられている点において、第１実施形態に係るコネクタと異なっている。なお、その他の構成は、上記第１実施形態と同様であるため、同じ符号を用いて適宜その説明を省略する。
【００６８】
（雄コネクタ４０２）
図１０（ａ）に示すように、雄コネクタ４０２のハウジング（第２ハウジング）４３０は、上壁３２の中央付近から下方に向けて突出したリブ４３６と、下壁３３の中央付近から上方に向けて突出したリブ４３７とを有する。図１０（ｂ）に示すように、リブ４３６は、上壁３２の内側面において、端子２０の係合部２０ａに対応する位置に設けられている。また、リブ４３７は、下壁３３の内側面において、端子２０の係合部２０ａに対応する位置に設けられている。
【００６９】
図１０（ａ）に示すように、リブ４３６の先端部４３６ａ及び後端部４３６ｂは、上壁３２の内周面に対して略垂直な方向に延在している。リブ４３６の先端部４３６ａは、端子４０の先端部４０ａより開口３８に近い位置に設けられている。
【００７０】
また、リブ４３７の先端部４３７ａ及び後端部４３７ｂは、下壁３３の内周面に対して略垂直な方向に延在している。リブ４３７の先端部４３７ａは、端子４０の先端部４０ｂより開口３８に近い位置に設けられている。
【００７１】
図１０（ｂ）に示すように、雌コネクタ１が雄コネクタ４０２に完全に嵌合したとき、リブ４３６は、ランス１３の上面に当接し、ランス１３が上方に向けて撓まないように、ランス１３とともに端子２０を上方から保持する。また、リブ４３７は、ランス１４の下面に当接し、ランス１４が下方に向けて撓まないように、ランス１４とともに端子２０を下方から保持する。
【００７２】
以上のように、本実施形態のコネクタ４００では、第１実施形態のコネクタ１００と同様に、別の部材を用いることなく、端子２０の保持力を向上させることができるとともに、端子２０の半挿入を検知することができる。
【００７３】
また、リブ４３６の先端部４３６ａ及び後端部４３６ｂが上壁３２の内側面に対して垂直な方向に延在していることにより、端子収容室１１ａ内の端子２０を安定して保持できる。同様に、リブ４３７の先端部４３７ａ及び後端部４３７ｂが下壁３３の内側面に対して垂直な方向に延在していることにより、端子収容室１１ｂ内の端子２０を安定して保持できる。したがって、端子２０の保持力をより向上させることができる。
【００７４】
以上、本発明の好適な実施形態及び変形例について説明したが、本発明は上述の実施形態及び変形例に限られるものではなく、特許請求の範囲に記載した限りにおいて様々な変更が可能なものである。
【００７５】
例えば、第１実施形態、第２実施形態、第３実施形態及び第４実施形態では、雄コネクタにおいて、リブ（保持部）３６，３７の一端３６ａ，３７ａが、端子４０の先端部４０ａ，４０ｂより開口（嵌合口）３８に近い位置に設けられている場合について説明したが、リブの一端が、端子の先端部より開口に近い位置に設けられていなくてもよい。
【００７６】
また、第１実施形態、第２実施形態、第３実施形態及び第４実施形態では、雌ハウジングにおいて、ランス１３の上面１３ａに突起１３ｂが設けられ、ランス１４の下面１４ａに突起１４ｂが設けられている場合について説明したが、ランスの上面や下面に突起が設けられていなくてもよい。また、突起の形状や位置は変更可能なものである。
【００７７】
さらに、第１実施形態、第２実施形態、第３実施形態及び第４実施形態では、ハウジング１０に形成された全ての端子収容室１１ａ，１１ｂの上方及び下方の少なくとも一方にリブ１３，１４が設けられている場合について説明したが、これには限られない。例えば、ハウジングに形成された少なくとも１つの端子収容室の上方又は下方にリブが設けられていてもよい。また、ランス及びリブ（保持部）の形状及び位置は変更可能なものである。
【００７８】
加えて、第１実施形態及び第４実施形態では、端子収容室が２段に配列され、第２実施形態及び第３実施形態では、端子収容室が３段に配列されている場合について説明したが、端子収容室の段数及び列数は変更可能なものである。
【００７９】
また、第１実施形態では、上段に配置された端子２０がリブ３６により上方から保持される構成について説明したが、下方から保持される構成としてもよい。同様に、第１実施形態では、下段に配置された端子２０が、リブ３７により下方から保持される構成について説明したが、上方から保持される構成としてもよい。
【符号の説明】
【００８０】
１，２０１，３０１  雌コネクタ
２，２０２，３０２，４０２  雄コネクタ
１０，２１０，３１０  ハウジング（第１ハウジング）
１１ａ，１１ｂ，２１１ｂ，２１１ｃ，３１１ｃ  端子収容室
１３，１４，２１４，２１５，３１５  ランス（係止腕部）
２０  端子（第１端子）
２０ａ  係合部
３０，２３０，３３０，４３０  ハウジング（第２ハウジング）
４０  端子（第２端子）
３６，３７，２３８，２３９  リブ（保持部）
１３ａ  上面（端子と対向する面と反対側の面）
１４ａ  下面
１３ｂ，１４ｂ，１３ｄ，１４ｄ，２１ａ  突起
３６ａ，３７ａ，４０ａ，４０ｂ，４０ｃ，２３８ａ，２３９ａ，３３８ａ，４３６ａ，４３７ａ  先端部
４３６ｂ，４３７ｂ  後端部
３２，２３２  上壁（第１壁）
２３３  下壁（第２壁）
３８，２５０，３５０  開口（嵌合口）
１００，２００，３００，４００  コネクタ
【図１】
2012195106.tif 000003
【図２】
2012195106.tif 000004
【図３】
2012195106.tif 000005
【図４】
2012195106.tif 000006
【図５】
2012195106.tif 000007
【図６】
2012195106.tif 000008
【図７】
2012195106.tif 000009
【図８（ａ）】
2012195106.tif 000010
【図８（ｂ）】
2012195106.tif 000011
【図９（ａ）】
2012195106.tif 000012
【図９（ｂ）】
2012195106.tif 000013
【図１０】
2012195106.tif 000014